(57)【要約】【課題】天板を昇降させるための操作を容易にすることにより、電力を用いずに安価かつ簡易な構成で天板の高さを調節することが可能となる、天板昇降デスクを提供する。【解決手段】天板昇降デスク１において、側板１１・１１にはガイド機構２０が設けられ、側板１１・１１には、位置決め部材３１が複数本設けられ、位置決め部材３１には複数の位置決め孔３１ａが開口され、天板１３の下面には、複数のロックピン４１と一端部がロックピン４１にそれぞれ接続された複数本のワイヤー４２と複数本のワイヤー４２の他端部と接続されたレバー４３とが設けられ、レバー４３を固定側に操作した際はロックピン４１が位置決め孔３１ａに挿入されることにより天板１３の上下位置が規制され、レバー４３を可動側に操作した際はロックピン４１が位置決め孔３１ａから退避することにより天板１３の上下位置の規制が解除される。【選択図】図１
2020103858.tif 000002
【特許請求の範囲】
【請求項１】
互いに平行に立設された一対の側板と、該一対の側板における一方の側辺の側で前記一対の側板に直交して立設された背板と、前記一対の側板の間で昇降可能に設けられた天板と、を備える、天板昇降デスクであって、
前記一対の側板又は前記背板と、前記天板と、には、前記天板の水平状態を維持するガイド機構が設けられ、
前記一対の側板、及び／又は、前記背板には、長尺の位置決め部材が上下方向に沿って複数本設けられ、
前記位置決め部材には、上下方向に並んだ複数の位置決め孔が開口され、
前記天板の下面には、前記天板の外方に延出可能な複数のロックピンと、一端部が前記ロックピンにそれぞれ接続された複数個の接続部材と、複数個の前記接続部材の他端部と接続されたレバーと、を備えるロック機構が設けられ、
前記レバーを固定側に操作した際は、前記接続部材を介して前記ロックピンが前記天板の外方に延出されて前記位置決め孔に挿入されることにより、前記天板の上下位置が規制され、
前記レバーを可動側に操作した際は、前記接続部材を介して前記ロックピンが前記位置決め孔から前記天板の下側に退避することにより、前記天板の上下位置の規制が解除される、天板昇降デスク。
【請求項２】
前記ロック機構は、前記ロックピンを前記天板の外方に向かって付勢する付勢手段を備え、
前記ロックピンが前記付勢手段の付勢力により前記天板の外方に延出されて前記位置決め孔に挿入されることにより、前記天板の上下位置が規制され、
前記レバーを可動側に操作した際は、前記接続部材を介して前記ロックピンが前記付勢手段の付勢力に抗して前記位置決め孔から前記天板の下側に退避することにより、前記天板の上下位置の規制が解除される、請求項１に記載の天板昇降デスク。
【請求項３】
前記天板には、前記天板の昇降を補助するアシスト部材が設けられる、請求項１又は請求項２に記載の天板昇降デスク。
【請求項４】
前記アシスト部材が定荷重ばねで構成される、請求項３に記載の天板昇降デスク。
【発明の詳細な説明】
【技術分野】
【０００１】
本発明は天板昇降デスクに関し、詳細には、天板昇降デスクにおいて簡易な構成で天板を昇降させる技術に関するものである。
【背景技術】
【０００２】
従来、互いに平行に立設された一対の側板と、一対の側板を連結して立設された背板と、一対の側板の間で昇降可能に設けられた天板と、を備える天板昇降デスクにおいて、天板の上下位置を規制する機構が知られている。（例えば、特許文献１を参照）。
【先行技術文献】
【特許文献】
【０００３】
【特許文献１】特開２０１０−０６３８３８号公報
【発明の概要】
【発明が解決しようとする課題】
【０００４】
上記の特許文献に記載の天板昇降デスクにおいては、天板の上下位置を変更するためには受具を側板から着脱する必要がある。即ち、天板を昇降させるための操作が煩雑であるため、天板の高さを調節することが困難であった。この場合、例えば複数の使用者が一つの天板昇降デスクを使用する際に、使用者の体格に応じて天板の高さを調節することが難しかった。
【０００５】
また、従来の天板昇降デスクにおいて、天板を昇降させるために電動モータを利用する技術が用いられる場合がある。この場合は装置構成が大掛かりとなる上にコスト増となり、また、電源のない場所では使用できないという課題があった。
【０００６】
本発明は以上の如き状況に鑑みてなされたものであり、本発明が解決しようとする課題は、天板を昇降させるための操作を容易にすることにより、電力を用いずに安価かつ簡易な構成で天板の高さを調節することが可能となる、天板昇降デスクを提供することである。
【課題を解決するための手段】
【０００７】
本発明は、上記課題を解決するために、以下に構成する天板昇降デスクを提供する。
【０００８】
（１）互いに平行に立設された一対の側板と、該一対の側板における一方の側辺同士を連結して立設された背板と、前記一対の側板の間で昇降可能に設けられた天板と、を備える、天板昇降デスクであって、前記一対の側板又は前記背板と、前記天板と、には、前記天板の水平状態を維持するガイド機構が設けられ、前記一対の側板、及び／又は、前記背板には、長尺の位置決め部材が上下方向に沿って複数本設けられ、前記位置決め部材には、上下方向に並んだ複数の位置決め孔が開口され、前記天板の下面には、前記天板の外方に延出可能な複数のロックピンと、一端部が前記ロックピンにそれぞれ接続された複数個の接続部材と、複数個の前記接続部材の他端部と接続されたレバーと、を備えるロック機構が設けられ、前記レバーを固定側に操作した際は、前記接続部材を介して前記ロックピンが前記天板の外方に延出されて前記位置決め孔に挿入されることにより、前記天板の上下位置が規制され、前記レバーを可動側に操作した際は、前記接続部材を介して前記ロックピンが前記位置決め孔から前記天板の下側に退避することにより、前記天板の上下位置の規制が解除される、天板昇降デスク。
【０００９】
（２）前記ロック機構は、前記ロックピンを前記天板の外方に向かって付勢する付勢手段を備え、前記ロックピンが前記付勢手段の付勢力により前記天板の外方に延出されて前記位置決め孔に挿入されることにより、前記天板の上下位置が規制され、前記レバーを可動側に操作した際は、前記接続部材を介して前記ロックピンが前記付勢手段の付勢力に抗して前記位置決め孔から前記天板の下側に退避することにより、前記天板の上下位置の規制が解除される、（１）に記載の天板昇降デスク。
【００１０】
（３）前記天板には、前記天板の昇降を補助するアシスト部材が設けられる、（１）又は（２）に記載の天板昇降デスク。
【００１１】
（４）前記アシスト部材が定荷重ばねで構成される、（３）に記載の天板昇降デスク。
【発明の効果】
【００１２】
以上における本発明に係る天板昇降デスクは、以下に示す効果を奏する。
【００１３】
（１）の構成によれば、天板を昇降させるための操作を容易にすることにより、電力を用いずに安価かつ簡易な構成で天板の高さを調節することが可能となる。
【００１４】
（２）の構成によれば、使用者がレバーを把持するだけで天板を昇降可能とすることができる。
【００１５】
（３）の構成によれば、使用者が楽に天板を昇降させることができる。
【００１６】
（４）の構成によれば、簡易な構成で天板を昇降可能とすることができる。
【図面の簡単な説明】
【００１７】
【図１】一実施形態に係る天板昇降デスクを示す上側斜視図。
【図２】天板を上昇させた状態の天板昇降デスクを示す下側斜視図。
【図３】天板昇降デスクを示す平面図。
【図４】図３におけるＡ−Ａ線断面図。
【図５】図４におけるＢ−Ｂ線断面図。
【図６】ロック部分の構造を示す下側斜視図。
【図７】ロック部分の構造を示す断面図。
【発明を実施するための形態】
【００１８】
以下では図１から図７を用いて、本発明の一実施形態に係る天板昇降デスク１について説明する。本明細書においては、図１及び図２中に示す矢印を用いて、天板昇降デスク１の方向を規定する。
【００１９】
図１に示す如く、天板昇降デスク１は、一対の側板１１・１１と、側板１１・１１を連結する背板１２と、側板１１・１１の間に設けられる天板１３と、を備える。本実施形態に係る天板昇降デスク１において、側板１１、背板１２、及び、天板１３等の素材にはスチール等の金属板が採用されるが、木板を用いてこれらを構成することも可能である。
【００２０】
側板１１・１１は天板昇降デスク１の左右両側において互いに平行に立設される。背板１２は側板１１・１１における一方（本実施形態においては後部）の側辺の側で側板１１・１１に直交して立設される。具体的には、側板１１の両側辺には長尺角筒状の位置決め部材３１・３１が固定され、同じく背板１２の両側辺にも同様に角筒状の位置決め部材３１・３１が固定される。そして、側板１１の後部の側辺に固定された位置決め部材３１と、背板１２に固定された位置決め部材３１とを、同じく長尺角筒状の連結柱３２で連結する。これにより、側板１１・１１と背板１２とで平面視において略「コ」字状の枠体が構成される。
【００２１】
図１中の仮想線に示す如く、天板１３は、側板１１・１１の間で昇降可能に設けられる。詳細には図２に示す如く、側板１１・１１及び天板１３には、天板１３の水平状態を維持するガイド機構２０が設けられる。具体的に、側板１１・１１それぞれの内側面において、前後方向の中央部分に長尺のガイドレール２１・２１が固定される。ガイドレール２１の表面にはラックギヤ２１ａが形成されている。天板１３の左右両辺の前後方向中央部分には切り欠き１３ａ（図５を参照）が形成されている。
【００２２】
天板１３の下面における左右の両側部には、前後方向中央部分にブラケット２２・２２が固定される。それぞれのブラケット２２には、図４及び図５に示す如く軸心方向を前後方向に向けたピニオン軸２６が回動可能に支持される。ピニオン軸２６にはピニオンギヤ２６ｂが固定され、このピニオンギヤ２６ｂがラックギヤ２１ａと歯合する。
【００２３】
ピニオン軸２６にはベベルギヤ２６ａが固定されている。そして、天板１３の左右両側のブラケット２２におけるピニオン軸２６は、左右両端に二個のベベルギヤ２４ａ・２４ａが固定された連結軸２４によって連結される。具体的には、左右それぞれのピニオン軸２６のベベルギヤ２６ａに、軸心方向を左右方向に向けた連結軸２４のベベルギヤ２４ａ・２４ａが歯合される。連結軸２４は天板１３の下面に固定された軸支持部２５により回動可能に支持される。これにより、左右のピニオン軸２６・２６におけるピニオンギヤ２６ｂが連結軸２４により同期して回転する。上記の如くガイド機構２０を構成することにより、天板１３がガイドレール２１に沿って昇降した場合、左右のブラケット２２・２２が常に同じ上下位置に位置するため、天板１３の水平状態が維持される。
【００２４】
なお、天板１３の水平状態を維持するためのガイド機構の構成は、本実施形態に限定されるものではない。例えば、本実施形態においてはガイドレール２１を一対の側板１１・１１に設ける構成としているが、ガイドレールを背板１２に設け、該ガイドレールに沿って天板１３に固定されたブラケットが昇降する構成とすることも可能である。
【００２５】
本実施形態において、天板１３の左右両側には、天板１３の昇降を補助するアシスト部材として定荷重ばね２３が設けられる。定荷重ばね２３は、上端部がガイドレール２１の上端部に固定されている。また、定荷重ばね２３は、図５に示す如く天板１３の切り欠き１３ａを介して天板１３の下側に案内されて、下端部がブラケット２２に連結されている。具体的には図４及び図５に示す如く、ブラケット２２にはばね支持軸２７が固定され、定荷重ばね２３の下端部はばね支持軸２７に対して回動自在に連結されている。
【００２６】
上記の構成において、定荷重ばね２３は自身の巻き戻る力により、ばね支持軸２７を上方に向かって一定の力で引き上げる。即ち、天板１３は二個の定荷重ばね２３・２３によって上方に向かって力を受け続けている。この際、一個の定荷重ばね２３がばね支持軸２７を引き上げる力は、天板１３に加わる重力（ガイド機構２０及びロック機構４０を含む重力、以下同じ）の半分と同じ大きさに設定されている。即ち、天板１３の重力と、二個の定荷重ばね２３・２３により上方に引き上げる力とが常に釣り合っているため、使用者が天板１３に対して軽く力を加えるだけで楽に天板１３を昇降させることが可能となる。
【００２７】
なお、アシスト部材の構成は定荷重ばね２３に限定されるものではなく、天板１３に対して上方に天板１３の重力と同じ力を加える構成であれば差し支えない。例えば、天板１３と同じ重量の重りを滑車とワイヤー等を用いて釣り合わせる構成とすることも可能である。ただし、簡易にアシスト部材を構成するという観点において、アシスト部材として定荷重ばね２３を用いることが好適である。
【００２８】
本実施形態において、側板１１・１１には、長尺の位置決め部材３１が上下方向に沿って設けられている。そして、位置決め部材３１には、上下方向に並んだ複数の位置決め孔３１ａが、位置決め部材３１を左右方向に貫通して開口される。また、背板１２に隣接する位置決め部材３１には、位置決め孔１３ａが位置決め部材３１を前後方向に貫通して開口されている。
【００２９】
なお、位置決め孔１３ａは位置決め部材３１を必ずしも貫通する必要はなく、位置決め部材３１における一面のみに位置決め孔１３ａが形成されていても良い。但し、位置決め部材３１の配置が容易になるという観点からは、位置決め孔１３ａが位置決め部材３１を貫通して、位置決め部材１３の両面に開口されることが好ましい。また、天板昇降デスク１を隣接して配置する場合、位置決め孔３１ａが位置決め部材３１を貫通して開口されていれば、側板１１及び位置決め部材３１を隣り合った天板昇降デスク１で共有することが可能となる。この観点からも、位置決め孔１３ａが位置決め部材３１を貫通して開口されることがより好ましい。
【００３０】
一方、図２及び図３に示す如く、天板１３の下面にはロック機構４０が設けられる。ロック機構４０は、ロックピン４１、ワイヤー４２、ワイヤーカバーＣ、レバー４３、圧縮ばね４４（図７を参照）、ステー４５、カバー支持部材４６等で構成される。以下、これらの構成について順に説明する。
【００３１】
図３から図７に示す如く、天板１３の下面における四隅のそれぞれには、ロックピン４１を支持するための四個のステー４５が固定されている。それぞれのステー４５の内部には、天板１３の外側方に延出可能な四個のロックピン４１が収容されている。図７に示す如く、ロックピン４１とステー４５との間には付勢手段である圧縮ばね４４が介挿されている。圧縮ばね４４は、その付勢力によりロックピン４１を天板１３の外側方に向かって付勢する。
【００３２】
図３及び図７に示す如く、それぞれのロックピン４１の基端部（天板１３の内側に位置する端部）には、本発明に係る接続部材であるワイヤー４２の一端部が連結される。即ち、本実施形態においてワイヤー４２は四本用いられている。具体的には、ワイヤー４２の先端に形成されたピン側端部４２ａがロックピン４１の基端部に連結される。ワイヤー４２はワイヤーカバーＣによって被覆されている。図７に示す如く、ワイヤーカバーＣの先端部はステー４５におけるカバー支持部４５ａに固定される。
【００３３】
図１から図３に示す如く、天板１３の下面における前辺中央部には、レバー支持部４３ａを介してレバー４３が設けられる。レバー４３はレバー支持部４３ａに沿って前後方向にスライド可能とされる。図３に示す如く、レバー４３には四本のワイヤー４２の他端部が連結される。具体的には、ワイヤー４２の基端に形成されたレバー側端部４２ｂがレバー４３の後端面に連結される。ワイヤーカバーＣの基端部は天板１３の下面に固定されたカバー支持部材４６に固定される。
【００３４】
なお、ロックピン４１及びワイヤー４２の数は本実施形態に限定されるものではなく、三個以下又は五個以上とすることも可能である。但し、天板１３の四隅を支持するという観点からは、ロックピン４１及びワイヤー４２の数を本実施形態の如く四個とすることが好ましい。また、接続部材として、ワイヤー４２以外の部材、例えばシャフト等を用いてレバー４３とロックピン４１とを接続する構成としても良い。
【００３５】
図３、図６、及び、図７に示す如く、天板昇降デスク１の使用時において、ロックピン４１は圧縮ばね４４の付勢力により天板１３の外側方に延出されて、位置決め部材３１における位置決め孔３１ａに挿入されている。このように、ロックピン４１が位置決め孔３１ａに挿入されることにより、天板１３の上下位置が規制される。
【００３６】
そして、図３中の矢印Ｐに示す如く、使用者がレバー４３を握って可動側（前側）に操作した際は、ワイヤー４２を介してロックピン４１が圧縮ばね４４の付勢力に抗して位置決め孔３１ａから天板１３の下側に退避する。ロックピン４１が位置決め孔３１ａから離脱することにより、天板１３の上下位置の規制が解除される。この際、使用者がレバー４３を握った状態で天板１３に対して力を加えることにより天板１３が昇降する。使用者が天板１３の高さを決めた箇所でレバー４３から手を離すことにより、再び天板１３の上下位置が規制される。
【００３７】
上記の如く、本実施形態に係る天板昇降デスク１においては、天板１３の上下位置を変更する際に、レバー４３を操作するだけで天板１３を昇降可能とすることができる。即ち、天板１３を昇降させるための操作を容易にすることにより、天板１３の高さを容易に調節することができるのである。このため、例えば複数の使用者が一つの天板昇降デスク１を使用する際でも、使用者の体格に応じて天板１３の高さを調節することができる。
【００３８】
また、本実施形態に係る天板昇降デスク１においては、電動モータ等を用いずに手動で天板１３を昇降させる構成であるため、装置構成を簡素化することができ、製造コストを抑制することが可能となる。また、天板昇降デスク１は、天板１３を昇降させるために電力等を用いないため、電源の無い場所でも使用することが可能となる。
【００３９】
また、本実施形態に係る天板昇降デスク１においては、天板１３を側板１１・１１で支持しているため、側板１１・１１の間に天板１３を支持する脚部材等を設ける必要がない。このため、天板１３の下方の空間を有効に活用することが可能となる。
【００４０】
また、本実施形態に係る天板昇降デスク１においては、ロックピン４１を圧縮ばね４４で外側方に付勢することにより、使用者がレバー４３を把持した際に天板１３を昇降可能とするとともに、使用者がレバー４３から手を離すだけで天板１３の上下位置が規制される構成としている。これにより、使用者が天板１３を昇降させて上下位置を決める作業をより簡易に行うことが可能となる。
【００４１】
なお、ロック機構４０において、付勢部材である圧縮ばね４４を設けない構成とすることも可能である。即ち、レバー４３を固定側（後方）に操作した際は、ワイヤー４２を介してロックピン４１が天板１３の外方に延出されて位置決め孔３１ａに挿入されることにより、天板１３の上下位置が規制される。逆に、レバー４３を可動側（前方）に操作した際は、ワイヤー４２を介してロックピン４１が位置決め孔３１ａから天板１３の下側に退避することにより、天板１３の上下位置の規制が解除されるように構成するのである。この場合、使用者は天板１３を昇降させる際にレバー４３から手を離すことができる。
【００４２】
なお、本実施形態において位置決め部材３１は側板１１に隣接したものを用いて天板１３の上下位置を規制しているが、背板１２に隣接する位置決め部材３１を用いることもできる。この場合、ロック機構４０におけるロックピン４１は外後方に延出される。また、側板１１に隣接する位置決め部材３１と背板１２に隣接する位置決め部材３１との両方を用いる構成とすることも可能である。この場合、ロック機構４０におけるロックピン４１は外側方及び外後方に延出される。
【符号の説明】
【００４３】
１        天板昇降デスク         １１        側板             
１２        背板                   １３        天板             
１３ａ      切り欠き部             ２０        ガイド機構       
２１        ガイドレール           ２１ａ      ラックギヤ       
２２        ブラケット             ２３        定荷重ばね（アシスト部材）
２４        連結軸                 ２４ａ      ベベルギヤ       
２５        軸支持部               ２６        ピニオン軸       
２６ａ      ベベルギヤ             ２６ｂ      ピニオンギヤ     
２７        ばね支持軸             ３１        位置決め部材     
３１ａ      位置決め孔             ３２        連結柱           
４０        ロック機構             ４１        ロックピン       
４２        ワイヤー（接続部材）
４２ａ      ピン側端部             ４２ｂ      レバー側端部     
４３        レバー                 ４３ａ      レバー支持部     
４４        圧縮ばね（付勢部材）
４５        ステー                 ４５ａ      カバー支持部     
４６        カバー支持部材           Ｃ        ワイヤーカバー   
【図１】
2020103858.tif 000003
【図２】
2020103858.tif 000004
【図３】
2020103858.tif 000005
【図４】
2020103858.tif 000006
【図５】
2020103858.tif 000007
【図６】
2020103858.tif 000008
【図７】
2020103858.tif 000009